(57)【特許請求の範囲】
【請求項１】
風車翼を把持するための風車翼把持機構であって、
それぞれが剛体の構造体である第１及び第２箱部材とを備える箱型フレームと、
前記第１箱部材に取り付けられた、弾性体で形成された第１クッション部材と、
前記第２箱部材に取り付けられた、弾性体で形成された第２クッション部材
とを具備し、
前記第１箱部材と前記第２箱部材とは、前記箱型フレームが開閉可能であるように連結されており、
前記箱型フレームが閉じた状態では、前記第１クッション部材と前記第２クッション部材とが前記風車翼を取り囲み、且つ、前記箱型フレームが前記第１クッション部材と前記第２クッション部材と前記風車翼とを取り囲む
風車翼把持機構。
【請求項２】
請求項１に記載の風車翼把持機構であって、
更に、
前記第１箱部材に取り付けられた、当該風車翼把持機構を吊り下げるための吊り索に連結される吊り機構を備えており、
前記吊り機構は、外部から供給された動力により前記吊り索と前記吊り機構とが連結される位置を調節するように構成されている
風車翼把持機構。
【請求項３】
請求項２に記載の風車翼把持機構であって、
更に、
前記第１箱部材に取り付けられた第１及び第２吊り機構を備えており、
前記第１箱部材と前記第２箱部材は、第１方向に平行な回転軸の周りに相互に回転可能であり、且つ、前記箱型フレームが閉じた状態では前記第１方向に垂直な第２方向に並ぶように連結されており、
前記第１及び第２吊り機構のそれぞれは、当該風車翼把持機構を吊り下げるための吊り索に連結されるように構成され、
前記第１及び第２吊り機構は、前記第１方向に並んで設けられており、
前記第１吊り機構及び前記第２吊り機構は、動力の供給を受けて、前記吊り索と前記吊り機構とが連結される位置を、前記第１方向及び前記第２方向に垂直な第３方向に調節可能に構成されている
風車翼把持機構。
【請求項４】
請求項３に記載の風車翼把持機構であって、
前記第１吊り機構は、
前記吊り索に連結される構造を有し、前記第１箱部材に揺動可能に連結された吊りプレートと、
前記動力の供給を受けて、前記吊りプレートと前記第１箱部材との間の角度を調節する駆動機構
とを具備する
風車翼把持機構。
【請求項５】
請求項４に記載の風車翼把持機構であって、
前記駆動機構は、
前記吊りプレートと前記第１箱部材の一方に揺動可能に連結された第１シリンダーと、
前記第１シリンダーに挿入され、前記吊りプレートと前記第１箱部材の他方に揺動可能に連結された第１ロッド
とを備え、
前記第１シリンダーは、前記動力の供給を受けて、前記第１ロッドを繰り出し、又は、引っ込めるように構成された
風車翼把持機構。
【請求項６】
請求項１乃至５のいずれかに記載の風車翼把持機構であって、
更に、
前記第１箱部材と前記第２箱部材とを回動可能に連結するヒンジと、
第１シリンダー機構
とを具備し、
前記第１シリンダー機構は、
前記第１箱部材と前記第２箱部材の一方に揺動可能に連結された第２シリンダーと、
前記第２シリンダーに挿入され、前記第１箱部材と前記第２箱部材の他方に揺動可能に連結された第２ロッド
とを備え、
前記第２シリンダーは、動力の供給を受けて、前記第２ロッドを繰り出し、又は、引っ込めるように構成された
風車翼把持機構。
【請求項７】
請求項１乃至６のいずれかに記載の風車翼把持機構であって、
更に、
前記第１箱部材と前記第２箱部材が開かないようにロックするためのロック機構を具備する
風車翼把持機構。
【請求項８】
請求項７に記載の風車翼把持機構であって、
前記ロック機構は、
前記第１箱部材と前記第２箱部材の一方に接合された第２シリンダー機構と、
前記第１箱部材と前記第２箱部材の他方に接合された、開口を有するロックプレート
とを具備し、
前記第２シリンダー機構は、
前記第１箱部材と前記第２箱部材の前記一方に揺動可能に連結された第３シリンダーと、
前記第２シリンダーに挿入された第３ロッド
とを備え、
前記第３シリンダーは、動力の供給を受けて、前記第３ロッドを繰り出し、又は、引っ込めるように構成され、
前記第１箱部材と前記第２箱部材とは、前記第３ロッドが前記ロックプレートの前記開口に挿入されることでロックされる
風車翼把持機構。
【請求項９】
タワーを建てる工程と、
ナセルを前記タワーの上に搭載する工程と、
前記ナセルに連結されたハブに風車翼を連結する工程
とを具備し、
前記風車翼を連結する工程では、請求項１乃至８のいずれかに記載の風車翼把持機構で前記風車翼が把持されて前記風車翼が吊り下げられる
風力発電装置の組立方法。
【発明の詳細な説明】
【技術分野】
【０００１】
本発明は、風車翼把持機構（wind turbine blade clamping mechanism）、及び、それを用いた風力発電装置の組立方法に関し、特に、風車ロータの組み立ての際に風車翼を把持する（clamp）ことに適した風車翼把持機構に関する。
【背景技術】
【０００２】
風力発電装置の建設における主要な工程の一つは、風車ロータのナセルへの取り付け工程である。風車ロータのナセルへの取り付けは、典型的には、少なくとも一のクレーン（通常は複数のクレーン）で風車ロータを適切な位置まで吊り上げ、風車ロータを吊り上げた状態で風車ロータをナセルに連結することで行われる。例えば、米国特許出願公開２０１２／００２７５６１  Ａ１は、複数のクレーンを用いて風車ロータをナセルに取り付ける技術を開示している。【０００３】
近年の風力発電装置では、出力を増大させるために風車ロータの大型化が進んでいるが、大型の風車ロータの使用は、風力発電装置の建設、特に、風車ロータのナセルへの取り付け工程において様々な問題を引き起こす。まず、大型の風車ロータは、風力発電装置の建設サイトへ輸送することが困難である。更に、風力発電装置の建設サイトにおいて風車ロータを持ち上げ、ナセルに連結する作業が困難になる。このような問題は、特に、作業環境が良好ではない洋上の風力発電装置において深刻である。【０００４】
このような観点から、大型の風車ロータを搭載する風力発電装置の建設においては、風車ロータの風車翼（wind
turbine blades）をハブに取り付けずに輸送し、建設サイトにおいて風車翼をハブに取り付ける手法を採用することがある。このような手法によれば、風車ロータの輸送の問題を軽減することができる。建設サイトで風車翼をハブに取り付ける技術は、例えば、国際公開ＷＯ  ２０１１／０９５１６７  Ａ１、欧州特許出願公開２２２６５０２  Ａ１、国際公開ＷＯ  ２００９／１２８７０８  Ａ２、欧州特許出願公開２１５９４１９  Ａ１、国際公開ＷＯ  ２００８／１３２２２６  Ａ１、国際公開ＷＯ  ２００８／０６１７９７  Ａ１、国際公開ＷＯ  ２００６／０５３５５４  Ａ２、国際公開ＷＯ  ０３／１００２４９  Ａ１に開示されている。【０００５】
建設サイトにおいて風車翼をハブに取り付けるためには、風車翼を吊り上げる作業が必要となるが、風車翼を吊り上げる際に重要なことは風車翼を確実に把持することである。上記に列挙された特許文献には、風車翼を把持するための技術が様々に開示されている。【０００６】
しかしながら、発明者の検討によれば、上記に列挙された特許文献に開示された技術は、風車翼の損傷を防ぎながら風車翼を確実に把持するという観点では十分なものではない。
【先行技術文献】
【特許文献】
【０００７】
【特許文献１】米国特許出願公開２０１２／００２７５６１  Ａ１
【特許文献２】国際公開ＷＯ  ２０１１／０９５１６７  Ａ１
【特許文献３】欧州特許出願公開２２２６５０２  Ａ１
【特許文献４】国際公開ＷＯ  ２００９／１２８７０８  Ａ２
【特許文献５】欧州特許出願公開２１５９４１９  Ａ１
【特許文献６】国際公開ＷＯ  ２００８／１３２２２６  Ａ１
【特許文献７】国際公開ＷＯ  ２００８／０６１７９７  Ａ１
【特許文献８】国際公開ＷＯ  ２００６／０５３５５４  Ａ２
【特許文献９】国際公開ＷＯ  ０３／１００２４９  Ａ１
【発明の概要】
【０００８】
したがって、本発明は、建設サイトにおいて風車翼をハブに取り付ける時に、風車翼の損傷を防ぎながら風車翼を確実に把持することを可能にするための技術を提供することにある。
【０００９】
本発明の一の観点では、風車翼を把持するための風車翼把持機構が、それぞれが剛性を有する構造体である第１及び第２箱部材とを備える箱型フレームと、第１箱部材に取り付けられた、弾性体で形成された第１クッション部材と、第２箱部材に取り付けられた、弾性体で形成された第２クッション部材とを具備する。第１箱部材と第２箱部材とは、箱型フレームが開閉可能であるように連結されている。箱型フレームが閉じた状態では、第１クッション部材と第２クッション部材とが風車翼を取り囲み、且つ、箱型フレームが第１クッション部材と第２クッション部材と風車翼とを取り囲む。
【００１０】
当該風車翼把持機構は、更に、第１箱部材に取り付けられた、当該風車翼把持機構を吊り下げるための吊り索に連結される吊り機構を備えていてもよい。この場合、吊り機構は、外部から供給された動力により吊り索と吊り機構とが連結される位置を調節するように構成されていることが好ましい。
【００１１】
また、当該風車翼把持機構は、更に、第１箱部材に取り付けられた第１及び第２吊り機構を備えていてもよい。第１及び第２吊り機構のそれぞれは、当該風車翼把持機構を吊り下げるための吊り索に連結されるように構成される。第１箱部材と第２箱部材は、第１方向に平行な回転軸の周りに相互に回転可能であり、且つ、箱型フレームが閉じた状態では第１方向に垂直な第２方向に並ぶように連結されている。この場合、第１及び第２吊り機構が第１方向に並んで設けられ、且つ、動力の供給を受けて、吊り索と吊り機構とが連結される位置を、第１方向及び第２方向に垂直な第３方向に調節可能に構成されていることが好ましい。
【００１２】
一実施形態では、第１吊り機構は、吊り索に連結される構造を有し、第１箱部材に揺動可能に連結された吊りプレートと、動力の供給を受けて、吊りプレートと第１箱部材との間の角度を調節する駆動機構とを具備してもよい。この場合、駆動機構は、吊りプレートと第１箱部材の一方に揺動可能に連結された第１シリンダーと、第１シリンダーに挿入され、吊りプレートと第１箱部材の他方に揺動可能に連結された第１ロッドとを備えていてもよい。第１シリンダーは、動力の供給を受けて、第１ロッドを繰り出し、又は、引っ込めるように構成される。
【００１３】
一実施形態では、当該風車翼把持機構が、更に、第１箱部材と第２箱部材とを回動可能に連結するヒンジと、第１シリンダー機構とを具備していてもよい。第１シリンダー機構は、第１箱部材と第２箱部材の一方に揺動可能に連結された第２シリンダーと、第２シリンダーに挿入され、第１箱部材と第２箱部材の他方に揺動可能に連結された第２ロッドとを備えている。第２シリンダーは、動力の供給を受けて、第２ロッドを繰り出し、又は、引っ込めるように構成される。
【００１４】
一実施形態では、当該風車翼把持機構が、更に、第１箱部材と第２箱部材が開かないようにロックするためのロック機構を具備していてもよい。一実施形態では、該ロック機構が、第１箱部材と第２箱部材の一方に接合された第２シリンダー機構と、第１箱部材と第２箱部材の他方に接合された、開口を有するロックプレートとを具備する。第２シリンダー機構は、第１箱部材と第２箱部材の該一方に揺動可能に連結された第３シリンダーと、第２シリンダーに挿入された第３ロッドとを備えている。第３シリンダーは、動力の供給を受けて、第３ロッドを繰り出し、又は、引っ込めるように構成される。第１箱部材と第２箱部材とは、第３ロッドがロックプレートの開口に挿入されることでロックされる。
【００１５】
本発明の他の観点では、風力発電装置の組立方法が、タワーを建てる工程と、ナセルをタワーの上に搭載する工程と、ナセルに連結されたハブに風車翼を連結する工程
とを具備する。風車翼を連結する工程では、上記の風車翼把持機構で風車翼が把持されて風車翼が吊り下げられる。
【００１６】
本発明によれば、風車翼の損傷を防ぎながら風車翼を確実に把持することができる風車翼把持機構を提供することができる。
【図面の簡単な説明】
【００１７】
【図１Ａ】本発明の一実施形態の風車翼把持機構により把持される風車翼の構造の例を示す上面図である。
【図１Ｂ】図１Ａに図示されている風車翼の構造の例を示す正面図である。
【図１Ｃ】図１Ａに図示されている風車翼の構造の例を示す断面図である。
【図２】一実施形態の風車翼把持機構の構造を示す上面図である。
【図３】本実施形態の風車翼把持機構の構造を示す正面図である。
【図４】本実施形態の風車翼把持機構の構造を示す背面図である。
【図５】本実施形態の風車翼把持機構の構造を示す側面図である。
【図６Ａ】本実施形態の風車翼把持機構のヒンジとシリンダー機構の構造を背面図である。
【図６Ｂ】本実施形態の風車翼把持機構のシリンダー機構の構造を示す側面図である。
【図７】本実施形態の風車翼把持機構の開閉動作を示す側面図である。
【図８】本実施形態の風車翼把持機構の可動吊り機構の構造を示す側面図である。
【図９】本実施形態の風車翼把持機構の可動吊り機構の構造を示す上面図である。
【図１０Ａ】本実施形態の風車翼把持機構により、風車翼が、その翼幅方向が略鉛直方向に向けられて把持される状態を示す図である。
【図１０Ｂ】図１０Ａの状態にあった風車翼把持機構の箱型フレームが開かれて風車翼が風車翼把持機構から離脱された状態を示す図である。
【図１１Ａ】本実施形態の風車翼把持機構により、風車翼が、その翼幅方向が略水平方向に向けられて把持される状態を示す図である。
【図１１Ｂ】図１１Ａの状態にあった風車翼把持機構の箱型フレームが開かれて風車翼が風車翼把持機構から離脱された状態を示す図である。
【図１２】箱型フレームが開かれた時の重心の移動を説明する図である。
【図１３】箱型フレームの重心の移動に対応した可動吊り機構の動作を示す図である。
【図１４Ａ】本実施形態における風力発電装置の組立方法（建設方法）を示す図である。
【図１４Ｂ】本実施形態における風力発電装置の組立方法（建設方法）を示す図である。
【図１４Ｃ】本実施形態における風力発電装置の組立方法（建設方法）を示す図である。
【図１４Ｄ】本実施形態における風力発電装置の組立方法（建設方法）を示す図である。
【図１５Ａ】本実施形態の風車翼把持機構が取り付けられた風車翼の姿勢制御の例を示す図である。
【図１５Ｂ】本実施形態の風車翼把持機構が取り付けられた風車翼の姿勢制御の例を示す図である。
【図１５Ｃ】本実施形態の風車翼把持機構が取り付けられた風車翼の姿勢制御の例を示す図である。
【図１６Ａ】本実施形態において、風車翼を把持する風車翼把持機構を吊るために使用される吊り下げ機構の構造を示す正面図である。
【図１６Ｂ】図１６Ａの吊り下げ機構のギアボックスの構成を示す正面図である。
【図１６Ｃ】図１６Ａの吊り下げ機構の駆動装置の構成を示すブロック図である。
【図１７】本実施形態において、吊り下げ機構の吊り索として使用されるローラーチェーンの構造を示す斜視図である。
【図１８Ａ】本実施形態の風車翼把持機構が取り付けられた風車翼の姿勢制御の例を示す図である。
【図１８Ｂ】本実施形態の風車翼把持機構が取り付けられた風車翼の姿勢制御の例を示す図である。
【図１８Ｃ】本実施形態の風車翼把持機構が取り付けられた風車翼の姿勢制御の例を示す図である。
【図１８Ｄ】本実施形態の風車翼把持機構が取り付けられた風車翼の姿勢制御の例を示す図である。
【図１８Ｅ】本実施形態の風車翼把持機構が取り付けられた風車翼の姿勢制御の例を示す図である。
【図１８Ｆ】本実施形態の風車翼把持機構が取り付けられた風車翼の姿勢制御の例を示す図である。
【図１９Ａ】本実施形態において、風車翼を把持する風車翼把持機構を吊るために使用される吊り下げ機構の構造を示す正面図である。
【図１９Ｂ】図１９Ａの吊り下げ機構の構成を示す側面図である。
【図１９Ｃ】図１９Ａの吊り下げ機構のギアボックスの構成を示す側面図である。
【図１９Ｄ】図１９Ａの吊り下げ機構の駆動装置の構成を示すブロック図である。
【図２０Ａ】鉛直方向に積まれた３つの風車翼把持機構を示す側面図である。
【図２０Ｂ】鉛直方向に積まれた３つの風車翼把持機構を示す正面図である。
【図２１】油圧系を用いて風車ロータの回転を発電機のロータに伝達するように構成された風力発電装置の構成の例を示す斜視図である。
【発明を実施するための形態】
【００１８】
図１Ａ〜図１Ｃは、本発明の一実施形態の風車翼把持機構により把持される風車翼１の構造の例を示す図である。図１Ａは、風車翼１の表面（翼前縁１ａと翼後縁１ｂとを結ぶ面）に略垂直な方向に見た風車翼１の構造を示しており、図１Ｂは、翼前縁１ａから見た風車翼１の構造を示している。また、図１Ｃは、図１Ａに示された翼弦最大位置５（翼弦の長さが最大になる位置）における風車翼１の断面構造を示している断面図である。翼根１ｃにおいては風車翼１の断面形状は円筒形であり、翼根１ｃから翼端１ｄに近付くにつれ、風車翼１の断面形状は、揚力を生むような形状に変化していく。図１Ａにおいて、符号６は、風車翼１の重心の位置を示している。一般的には、風車翼１の重心６の位置と翼弦最大位置５とは相違していることに留意されたい。
【００１９】
図１Ｃに示されているように、風車翼１は、外皮２とスパーキャップ３と桁４とを備えている。本実施形態では、風車翼１の腹側及び背側にそれぞれ２つのスパーキャップ３が設けられている。スパーキャップ３は外皮２に接合され、更に、腹側のスパーキャップ３と背側のスパーキャップ３が桁４によって連結されている。スパーキャップ３は、風車翼１の強度を保つための構造部材として機能している。
【００２０】
当業者に周知であるように、風車翼１には、しばしば、落雷があったときの風車翼１の損傷を防ぐための保護機構が設けられる。図１Ａ〜図１Ｃの風車翼１では、レセプタ７とダウンコンダクタ８とが設けられる。落雷は、翼端１ｄに最も発生しやすいことから、レセプタ７は、翼端１ｄの近傍に設けられる。ダウンコンダクタ８は、レセプタ７から風車翼１の翼幅方向（spanwise direction）に延伸して翼根１ｃに到達するように設けられ、雷電流をレセプタ７から風車翼１の外部に設けられた導線を通じて最終的に地面に導く機能を有している。レセプタ７は、翼端１ｄの近傍のみならず。風車翼１の適宜の場所に設けられ得る。
【００２１】
このような構造の風車翼１を把持する一つの手法としては、機械的強度が高いスパーキャップ３の位置で風車翼１を挟むことが考えられる。しかしながら、このような手法では、局部的に風車翼１に力が作用するため、風車翼１の損傷を招き得る。
【００２２】
加えて、風車翼１を把持する場合にダウンコンダクタ８の存在が問題になり得る。ダウンコンダクタ８は、実装上の問題から、薄い銅箔膜で形成され、更に、風車翼１の表面の近傍に設けられることがあり、このような構造のダウンコンダクタ８は、機械的強度が低い。特に、機械的強度が低いダウンコンダクタ８の損傷を防ぎながら風車翼１を把持することが求められる。
【００２３】
以下に詳細に述べられるように、本実施形態の風車翼把持機構は、かかる形状の風車翼１を、風車翼１の損傷を防ぎながら（特に、ダウンコンダクタ８の損傷を防ぎながら）、確実に把持可能であるように構成されている。なお、本実施形態の風車翼把持機構によって把持される風車翼１の構造は、図１Ａ〜図１Ｃに図示されているものには限定されないことに留意されたい。
【００２４】
図２〜図４、図５Ａ、図５Ｂは、本実施形態の風車翼把持機構１０の構造を示している。以下では、ＸＹＺ直交座標系を用いて風車翼把持機構１０の構造の説明を行う。詳細には、図２は、風車翼把持機構１０を−Ｚ方向に見た上面図である。図３は、風車翼把持機構１０を＋Ｙ方向に見た側面図であり、図４は、風車翼把持機構１０を−Ｙ方向に見た側面図である。図５は、風車翼把持機構１０の構造を−Ｘ方向に見た側面図である。
【００２５】
図２〜図４に示されているように、風車翼把持機構１０は、箱型フレーム１１を備えている。箱型フレーム１１は、２つの箱部材（第１及び第２箱部材）１２、１３を備えている。箱部材１２、１３は、いずれも、剛体の構造体として構成されている。後に詳細に説明するように、箱部材１２、１３は、Ｘ軸方向（第１方向）に平行な回転軸（axis）の周りに相対的に回転可能に連結されており、該箱型フレーム１１は開閉可能である。箱型フレーム１１が閉じた状態では、箱部材１２、１３は、Ｚ軸方向（第２方向）に並んでいる。
【００２６】
図５に示されているように、箱部材１２は、正面プレート１２ａと、上部プレート１２ｂと、背面プレート１２ｃとを備えている。正面プレート１２ａ及び背面プレート１２ｃはＸＺ面に平行に設けられ、上部プレート１２ｂはＸＹ面に平行に設けられている。即ち、正面プレート１２ａ及び背面プレート１２ｃは、上部プレート１２ｂに対して垂直に接合されている。正面プレート１２ａの＋Ｚ方向側の端は上部プレート１２ｂの−Ｙ方向側の端に接合されており、背面プレート１２ｃの＋Ｚ方向側の端は上部プレート１２ｂの＋Ｙ方向側の端に接合されている。
【００２７】
同様に、箱部材１３は、正面プレート１３ａと、下部プレート１３ｂと、背面プレート１３ｃとを備えている。正面プレート１３ａ及び背面プレート１３ｃはＸＺ面に平行に設けられ、下部プレート１３ｂはＸＹ面に平行に設けられている。即ち、正面プレート１３ａ及び背面プレート１３ｃは、下部プレート１３ｂに対して垂直に接合されている。正面プレート１３ａの−Ｚ方向側の端は下部プレート１３ｂの−Ｙ方向側の端に接合されており、背面プレート１３ｃの−Ｚ方向側の端は下部プレート１３ｂの＋Ｙ方向側の端に接合されている。
【００２８】
箱型フレーム１１が閉じた状態では、箱部材１２の正面プレート１２ａの−Ｚ方向側の端と、箱部材１３の正面プレート１３ａの＋Ｚ方向側の端が互いに近接し、箱部材１２の背面プレート１２ｃの−Ｚ方向側の端と、箱部材１３の背面プレート１３ｃの＋Ｚ方向側の端が互いに近接する。即ち、箱型フレーム１１が閉じた状態では、箱部材１２の正面プレート１２ａ、上部プレート１２ｂ及び背面プレート１２ｃと、箱部材１３の正面プレート１３ａ、下部プレート１３ｂ及び背面プレート１３ｃとが、ＹＺ面に平行な面において矩形(rectangular shape)をなしている。
【００２９】
箱部材１２の内面（箱部材１３に対向する面）にはクッション部材（第１クッション部材）１６が取り付けられ、箱部材１３の内面（箱部材１２に対向する面）にはクッション部材（第２クッション部材）１７が取り付けられている。クッション部材１６、１７としては、弾性体（例えば、ウレタンフォーム（urethane foam）や発泡スチロール等の樹脂フォーム（resin form））が用いられる。クッション部材１６の表面１６ａと、クッション部材１７の表面１７ａとは、風車翼１を収容する空間１８を構成している。風車翼把持機構１０が風車翼１を把持するとき、クッション部材１６、１７は、風車翼１を取り囲みながらその表面１６ａ、１７ａにおいて風車翼１と面接触し、これにより、風車翼１に局所的に大きな応力が作用することを防ぐ。
【００３０】
図２、図４に図示されているように、上記の構造の箱型フレーム１１を開閉可能とするための構造として、風車翼把持機構１０には、２つのヒンジ１４と２つのシリンダー機構１５とが設けられている。図６は、ヒンジ１４及びシリンダー機構１５の構造を示す図であり、風車翼把持機構１０を＋Ｙ方向に見た図である。図を見やすくするために、箱部材１２、１３、ヒンジ１４及びシリンダー機構１５のみが図示されている。
【００３１】
図６に図示されているように、ヒンジ１４は、プレート１４ａ〜１４ｃと、ピン１４ｄとを備えている。プレート１４ａ、１４ｂは、箱部材１２の背面プレート１２ｃに接合されており、プレート１４ｃは、箱部材１３の背面プレート１３ｃに接合されている。プレート１４ａ、１４ｂと、プレート１４ｃとは、ピン１４ｄにより、互いに相対的に回動可能（rotatable relative to each other）であるように接合されている。ピン１４ｄは、Ｘ軸方向に平行な方向に向けられている。このような構造のヒンジ１４により、箱部材１２、１３は、Ｘ軸方向に平行な回転軸の周りに互いに回動可能（rotatably）に連結されている。
【００３２】
シリンダー機構１５は、箱型フレーム１１を開閉するために箱部材１２、１３を駆動するデバイスである。図６Ａ及び図６Ｂを参照して、シリンダー機構１５は、シリンダー１５ａと、シリンダー１５ａに挿入されたロッド１５ｂとを備えている。シリンダー機構１５には電気的動力又は機械的動力が供給されており、シリンダー機構１５は、供給された動力によってシリンダー１５ａからロッド１５ｂを繰り出し、又は、シリンダー１５ａにロッド１５ｂを引っ込めるように構成されている。シリンダー１５ａは、箱部材１３の背面プレート１３ｃに接合されたプレート１５ｃに揺動可能に（swingably）接合されており、ロッド１５ｂは、箱部材１２の背面プレート１２ｃに接合されたプレート１５ｄに揺動可能に接合されている。
【００３３】
シリンダー機構１５に供給された動力により、ロッド１５ｂがシリンダー１５ａに引き込まれると、箱部材１３の背面プレート１３ｃに接合されたプレート１５ｃと、箱部材１２の背面プレート１２ｃに接合されたプレート１５ｄとの間の距離が小さくなる。これにより、箱部材１２の背面プレート１２ｃと箱部材１３の背面プレート１３ｃとの間の角度が１８０°よりも小さくなり、図７の下図に図示されているように、箱型フレーム１１が開く。このとき、箱部材１２の背面プレート１２ｃとロッド１５ｂとがなす角度、及び、箱部材１３の背面プレート１３ｃとシリンダー１５ａとがなす角度も変化する。
【００３４】
一方、シリンダー機構１５に供給された動力により、ロッド１５ｂがシリンダー１５ａから繰り出されると、箱部材１３の背面プレート１３ｃに接合されたプレート１５ｃと、箱部材１２の背面プレート１２ｃに接合されたプレート１５ｄとの間の距離が増大する。これにより、箱部材１２の背面プレート１２ｃと箱部材１３の背面プレート１３ｃとの間の角度が１８０°になり、図７に図示されているように、箱型フレーム１１が閉じる。
【００３５】
なお、上述の実施形態では、シリンダー機構１５のシリンダー１５ａが箱部材１３に連結され、ロッド１５ｂが箱部材１２に連結されているが、その代わりに、シリンダー１５ａが箱部材１２に連結され、ロッド１５ｂが箱部材１３に連結されてもよい。
【００３６】
図３を参照して、箱型フレーム１１が閉じられるべきときに、箱部材１２の正面プレート１２ａと箱部材１３の正面プレート１３ａとを確実に連結して箱型フレーム１１が開かないようにするために、ロック機構１９が設けられている。本実施形態では、２つのロック機構１９が設けられている。各ロック機構１９は、シリンダー機構２１と、ロックプレート２２とを備えている。各シリンダー機構２１は、箱部材１２の正面プレート１２ａに接合されたシリンダー２１ａと、シリンダー２１ａに挿入されたロッド２１ｂとを備えている。シリンダー機構２１には電気的動力又は機械的動力が供給されており、シリンダー機構２１は、供給された動力によってシリンダー２１ａからロッド２１ｂを繰り出し、又は、シリンダー２１ａにロッド２１ｂを引っ込めるように構成されている。ロックプレート２２は、箱部材１３の正面プレート１３ａに接合されており、ロッド２１ｂが通される貫通孔を備えている。箱部材１２、１３をロックする場合、シリンダー２１ａからロッド２１ｂが繰り出され、ロッド２１ｂがロックプレート２２に設けられる貫通孔に通される。これにより、箱型フレーム１１が確実に閉じられる。一方、箱型フレーム１１を開く場合、ロッド２１ｂがシリンダー２１ａに引き込まれ、ロッド２１ｂがロックプレート２２に設けられる貫通孔から抜き去られる。これにより、箱型フレーム１１は、開くことができる状態になる。その後、上述のようにシリンダー機構１５によって箱部材１２、１３を互いに相対的に回動させる駆動力が与えられると、箱型フレーム１１を開くことができる。
【００３７】
なお、上記の実施形態では、ロック機構１９のシリンダー機構２１が箱部材１２に接合され、ロックプレート２２が箱部材１３に接合されているが、その代わりに、シリンダー機構２１が箱部材１３に接合され、ロックプレート２２が箱部材１２に接合されていてもよい。
【００３８】
図２〜図４を参照して、箱部材１２には、２つの可動吊り機構２３が設けられ、箱部材１３にも、２つの可動吊り機構２４が設けられる。可動吊り機構２３は、吊り索（suspension line）に箱部材１２を吊り下げる(hang)場合に、当該吊り索を箱部材１２に固定するための機構である。後述されるように、可動吊り機構２３は、吊り索が可動吊り機構２３に取り付けられる位置が調節可能なように構成されている。２つの可動吊り機構２３は、Ｘ軸方向に並んで配置されている。
【００３９】
同様に、可動吊り機構２４は、吊り索に箱部材１３を吊り下げる場合に、当該吊り索を箱部材１３に取り付けるための機構である。後述されるように、可動吊り機構２４は、吊り索が可動吊り機構２４に取り付けられる位置が調節可能なように構成されている。２つの可動吊り機構２４は、Ｘ軸方向に並んで配置されている。
【００４０】
以下の説明において、２つの可動吊り機構２３を区別する必要がある場合、−Ｘ方向側に位置する可動吊り機構２３を符号２３−１、＋Ｘ方向側に位置する可動吊り機構２３を符号２３−２で参照することがある。同様に、２つの可動吊り機構２４を区別する必要がある場合、−Ｘ方向側に位置する可動吊り機構２４を符号２４−１、＋Ｘ方向側に位置する可動吊り機構２４を符号２４−２で参照することがある。図３、図４に図示されているように、箱部材１２に取り付けられた可動吊り機構２３−１と、箱部材１３に取り付けられた可動吊り機構２４−１とは、箱部材１２、１３を挟んで互いに対向するように設けられている。同様に、箱部材１２に取り付けられた可動吊り機構２３−２と、箱部材１３に取り付けられた可動吊り機構２４−２とは、箱部材１２、１３を挟んで互いに対向するように設けられている。
【００４１】
図２〜図５に図示されているように、各可動吊り機構２３は、吊りプレート２５と、シリンダー機構２６とを備えている。図３に示されているように、吊りプレート２５には、索を取り付けるための貫通孔２５ａが設けられている。風車翼把持機構１０を吊り索で吊り場合、該吊り索が貫通孔２５ａに直接に取り付けられても良く、又は、該吊り索の先端に取り付けられた取付具（fixture）が貫通孔２５ａに取り付けられてもよい。吊りプレート２５は、ヒンジ２５ｃによって箱部材１２の上部プレート１２ｂに揺動可能に（swingably）接合されており、吊りプレート２５と上部プレート１２ｂとの間の角度は調節可能である。
【００４２】
図８、図９は、各可動吊り機構２３の構造を更に詳細に示す図である。図８、図９に図示されているように、各可動吊り機構２３のシリンダー機構２６は、シリンダー２６ａと、シリンダー２６ａに挿入されたロッド２６ｂとを備えている。シリンダー機構２６には電気的動力又は機械的動力が供給されており、シリンダー機構２６は、供給された動力によってシリンダー２６ａからロッド２６ｂを繰り出し、又は、シリンダー２６ａにロッド２６ｂを引っ込めるように構成されている。シリンダー２６ａは、箱部材１２の上部プレート１２ｂに接合された固定プレート２６ｃに揺動可能に連結されている。また、ロッド２６ｂは、吊りプレート２５に接合された固定プレート２５ｂに揺動可能に連結されている。
【００４３】
このような構造の可動吊り機構２３は、シリンダー機構２６のロッド２６ｂのシリンダー２６ａから繰り出されている部分の長さを調節することで、吊りプレート２５と上部プレート１２ｂとの間の角度を所望の角度に調節することができる。これにより、吊り索が可動吊り機構２３に取り付けられるＹ軸方向（第３方向）における位置を所望の位置に調節することができる。ここで、Ｙ軸方向は、箱部材１２、１３が回動する回転軸に平行な方向（即ち、Ｘ軸方向（第１方向））、及び、箱型フレーム１１が閉じた状態で箱部材１２、１３が並ぶ方向（即ち、Ｚ軸方向（第２方向））のいずれにも垂直な方向であることに留意されたい。このとき、可動吊り機構２３は、吊りプレート２５が揺動されることで吊り索が可動吊り機構２３に取り付けられるＹ軸方向における位置が調節されるので、吊り索が可動吊り機構２３に取り付けられる位置の調節の際には、同時に、吊り索が可動吊り機構２３に取り付けられるＺ軸方向における位置も変化することになる。しかしながら、後述されるように、吊り索が可動吊り機構２３に取り付けられるＺ軸方向における位置のＺ軸方向における変化は、本質的には重要ではない。
【００４４】
なお、上述の実施形態では、シリンダー機構２６のシリンダー２６ａが箱部材１２に連結され、ロッド２６ｂが吊りプレート２５に連結されているが、その代わりに、シリンダー２６ａが吊りプレート２５に連結され、ロッド２６ｂが箱部材１２に連結されてもよい。
【００４５】
図２〜図５、図８に図示されているように、箱部材１３の下部プレート１３ｂに設けられている可動吊り機構２４も、可動吊り機構２３と同様の構造を有している。各可動吊り機構２４は、吊りプレート２７と、シリンダー機構２８とを備えている。図３に示されているように、吊りプレート２７には、索を取り付けるための貫通孔２７ａが設けられている。風車翼把持機構１０を吊り索で吊る場合、該吊り索が貫通孔２７ａに直接に取り付けられても良く、又は、該吊り索の先端に取り付けられた取付具（fixture）が貫通孔２７ａに取り付けられてもよい。吊りプレート２７は、ヒンジ２７ｃによって箱部材１３の下部プレート１３ｂに揺動可能に（swingably）接合されており、吊りプレート２７と上部プレート１２ｂとの間の角度は調節可能である。
【００４６】
各可動吊り機構２４のシリンダー機構２８は、シリンダー２８ａと、シリンダー２８ａに挿入されたロッド２８ｂとを備えている。シリンダー機構２８には電気的動力又は機械的動力が供給されており、シリンダー機構２８は、供給された動力によってシリンダー２８ａからロッド２８ｂを繰り出し、又は、シリンダー２８ａにロッド２８ｂを引っ込めるように構成されている。シリンダー２８ａは、箱部材１３の下部プレート１３ｂに接合された固定プレート２８ｃに揺動可能に連結されている。また、ロッド２８ｂは、吊りプレート２７に接合された固定プレート２７ｂに揺動可能に連結されている。
【００４７】
このような構造の可動吊り機構２４は、シリンダー機構２８のロッド２８ｂのシリンダー２８ａから繰り出されている部分の長さを調節することで、吊りプレート２７と下部プレート１３ｂとの間の角度を所望の角度に調節することができる。
【００４８】
なお、上述の実施形態では、シリンダー機構２８のシリンダー２８ａが箱部材１３に連結され、ロッド２８ｂが吊りプレート２７に連結されているが、その代わりに、シリンダー２８ａが吊りプレート２７に連結され、ロッド２８ｂが箱部材１３に連結されてもよい。
【００４９】
続いて、風車翼把持機構１０の使用方法、即ち、風車翼把持機構１０により風車翼１を把持する方法について説明する。図１０Ａは、風車翼１の翼端１ｄを下方に向け、風車翼１の翼幅方向を概ね鉛直方向に一致させるように風車翼１を吊る場合において、風車翼把持機構１０により風車翼１が把持されている状態の例を図示している。風車翼１をクッション部材１６、１７の間の空間１８に挿入した状態でシリンダー機構１５のシリンダー１５ａからロッド１５ｂが繰り出されることで、箱部材１２、１３を閉じることができる。箱部材１２、１３が閉じられると、クッション部材１６、１７によって風車翼１が挟まれて風車翼１が把持される。このとき、図３に図示されているロック機構１９によって箱部材１２、１３の正面プレート１２ａ、１３ａをロックすることで、風車翼１の把持の信頼性を向上することができる。
【００５０】
図１０Ａの例では、風車翼把持機構１０の吊り下げに、吊り索３１、３３及び吊り金具３２、３４が用いられる。吊り索３１の先端に吊り金具３２が取り付けられ、該吊り金具３２が、可動吊り機構２３の吊りプレート２５に連結されている。これにより、吊り索３１が箱部材１２に機械的に連結される。更に、吊り索３３の先端に吊り金具３４が取り付けられ、該吊り金具３４が可動吊り機構２４の吊りプレート２７に連結されている。これにより、吊り索３３が箱部材１３に機械的に連結される。
【００５１】
ここで、図１０Ａの例では、上方に位置する可動吊り機構２３、２４（即ち、風車翼１の翼根１ｃに近い可動吊り機構２３、２４）に連結されている吊り索３１、３３が、風車翼把持機構１０及び風車翼１に作用する重力による荷重の全てを支持している。この場合、下方に位置する可動吊り機構２３、２４（即ち、風車翼１の翼端１ｄに近い可動吊り機構２３、２４）に連結されている吊り索３１、３３は、風車翼１の姿勢制御に用いられてもよい。また、下方に位置する可動吊り機構２３、２４に連結されている吊り索３１、３３が、風車翼把持機構１０及び風車翼１に作用する重力による荷重の一部を支持してもよい。
【００５２】
図１０Ｂは、風車翼１の翼根１ｃがハブ（図示されない）に連結された後、風車翼１が風車翼把持機構１０から取り外された状態を図示している。風車翼１の翼根１ｃがハブに連結された後、ロック機構１９により箱部材１２、１３のロックが解除され、更に、シリンダー機構１５のシリンダー１５ａにロッド１５ｂが引き込まれると、箱部材１２、１３が相対的に水平面内で回動して箱部材１２、１３が開く。これにより、風車翼１が風車翼把持機構１０から取り外される。
【００５３】
図１１Ａは、風車翼１の翼幅方向を概ね水平方向に一致させるように風車翼１を吊る場合において、風車翼把持機構１０により風車翼１が把持されている状態の例を図示している。図１０Ａの場合と同様に、風車翼１をクッション部材１６、１７の間の空間１８に挿入した状態でシリンダー機構１５のシリンダー１５ａからロッド１５ｂが繰り出されることで箱部材１２、１３が閉じられ、これにより、クッション部材１６、１７によって風車翼１が挟まれて風車翼１が把持されている。
【００５４】
図１１Ａの例では、箱部材１２に設けられている２つの可動吊り機構２３に吊り索３１が連結されて風車翼把持機構１０が吊られている。詳細には、２本の吊り索３１のそれぞれの先端に吊り金具３２が連結され、その吊り金具３２が２つの可動吊り機構２３に連結されている。箱部材１３に設けられている可動吊り機構２４は、風車翼把持機構１０を吊るために使用されていない。このとき、２本の吊り索３１は、鉛直面に平行な同一平面内にあり、箱部材１２、１３の全体の重心は、２本の吊り索３１が存在する該平面内に位置している。
【００５５】
図１１Ｂは、風車翼１の翼根１ｃがハブ（図示されない）に連結された後、風車翼１が風車翼把持機構１０から取り外された状態を図示している。風車翼１の翼根１ｃがハブに連結された後、ロック機構１９により箱部材１２、１３のロックが解除され、更に、シリンダー機構１５のシリンダー１５ａにロッド１５ｂが引き込まれると、箱部材１３が箱部材１２に対して相対的に鉛直面内で回動して箱部材１２、１３が開く。これにより、風車翼１が風車翼把持機構１０から取り外される。
【００５６】
風車翼１の翼根１ｃがハブに連結された状態で箱部材１３が相対的に鉛直面内で回動して箱部材１２、１３が開く動作（図１１Ｂ参照）を行った場合における一つの問題は、図１２に図示されているように、箱部材１２、１３が開くことで、箱型フレーム１１の重心３７が移動してしまうことである。図１２において、符号３５は、箱部材１２とそれに取り付けられたクッション部材１６で構成される構造体の重心を示しており、符号３６は、箱部材１３とそれに取り付けられたクッション部材１７で構成される構造体の重心を示している。箱型フレーム１１の重心３７は、重心３５、３６の中点に位置する。箱型フレーム１１の重心３７の重心が、箱部材１２、１３が開く直前に２本の吊り索３１が位置していた（鉛直面に平行な）平面Ｂからずれると、箱部材１２、１３が風車翼１に対して相対的に移動し、風車翼１がクッション部材１６、１７から脱落してしまうことがある。これは、風車翼１がクッション部材１６、１７や箱部材１２、１３に衝突する可能性があることを意味している。図１２の下図の部分Ａは、クッション部材１７が風車翼１の翼前縁に衝突することを図示している。風車翼１がクッション部材１６、１７や箱部材１２、１３に衝突すると風車翼１が損傷する可能性がある。
【００５７】
ここで、本実施形態の風車翼把持機構１０では、上述された可動吊り機構２３を動作させることにより、箱型フレーム１１の重心３７が、２本の吊り索３１が位置している（鉛直面に平行な）平面Ｂからずれることを抑制することができる。図１２から理解されるように、箱部材１２、１３が開くと、箱型フレーム１１の重心３７は、２本の吊り索３１が位置している平面Ｂから＋Ｙ方向、即ち、ヒンジ１４に近付く方向（即ち、箱部材１２、１３が回動する回転軸に近づく方向）にずれる。そこで、図１３に図示されているように、可動吊り機構２３を動作させて可動吊り機構２３が吊り索３１に吊られる位置Ｃ（図１３の例では、吊り索３１に連結された吊り金具３２が吊りプレート２５に取り付けられる位置）を、＋Ｙ方向、即ち、ヒンジ１４に近付く方向にずらすことで、箱部材１２、１３が風車翼１に対して相対的に移動することを抑制することができる。このとき、箱型フレーム１１の重心３７を２本の吊り索３１が位置している平面Ｂ内に維持することで、理想的には、箱部材１２、１３が風車翼１に対して相対的に移動することを防止することができる。これは、風車翼１の損傷を防ぐために有効である。なお、可動吊り機構２３を動作させると、吊りプレート２５が揺動することから可動吊り機構２３が吊り索３１に吊られる位置ＣはＺ軸方向にも移動するが、このＺ軸方向の移動は、箱型フレーム１１の重心３７を２本の吊り索３１が位置している平面Ｂ内に維持する動作とは関係がない。
【００５８】
上記には、２つの可動吊り機構２３が２本の吊り索３１で吊られる場合について述べているが、２つの可動吊り機構２４が２本の吊り索３３で吊られる場合も同様に、可動吊り機構２４を動作させることにより風車翼１がクッション部材１６、１７や箱部材１２、１３に衝突することを防ぐことができる。即ち、可動吊り機構２４を動作させて可動吊り機構２４が吊り索３３に吊られる位置をヒンジ１４に近付く方向にずらすことで、箱部材１２、１３が風車翼１に対して相対的に移動することを抑制することができる。このとき、箱型フレーム１１の重心３７を２本の吊り索３３が位置している平面内に維持することで、理想的には、箱部材１２、１３が風車翼１に対して相対的に移動することを防止することができる。
【００５９】
以上に説明されている本実施形態の風車翼把持機構１０の一つの特徴は、本実施形態の風車翼把持機構１０では、剛体の構造体である箱部材１２、１３の内側に、弾性体で形成されたクッション部材１６、１７が取り付けられている。箱部材１２、１３が閉じた状態では、クッション部材１６、１７が風車翼１を取り囲み、且つ、箱部材１２、１３がクッション部材１６、１７と風車翼１とを取り囲んでいる。このとき、弾性体のクッション部材１６、１７の表面１６ａ、１７ａが、風車翼１の表面形状に合わせた形状に形成されており、クッション部材１６、１７は、風車翼１に面接触している。このような構造によると、クッション部材１６、１７が風車翼１に作用させる応力を低減させることができるため、風車翼１の損傷を防ぎながら風車翼１を把持することができる。特に、図１Ａに示されているように風車翼１の表面の近傍にダウンコンダクタ８が設けられている場合にも、当該風車翼把持機構１０は、ダウンコンダクタ８の損傷を防ぎながら風車翼１を保持することができる。その一方で、本実施形態の風車翼把持機構１０では、クッション部材１６、１７が広い面積で風車翼１を把持する上、クッション部材１６、１７が剛体の構造体である箱部材１２、１３に取り囲まれて保持されるので、風車翼１を確実に把持することができる。
【００６０】
一層に風車翼１を確実に把持するためには、風車翼１の翼弦最大位置５（図１Ａ参照）が箱部材１２、１３の内部にあるように風車翼１が把持されることが好ましい。クッション部材１６、１７を風車翼１の表面形状に合わせた形状に形成した上で風車翼１の翼弦最大位置５が箱部材１２、１３の内部にあるように風車翼１を把持することで、風車翼１が風車翼把持機構１０に対して翼幅方向に（即ち、翼根１ｃに向かう方向又は翼端１ｄに向かう方向）ずれにくくなる。これは、風車翼１を把持する確実性の向上に寄与する。風車翼１の翼弦最大位置５が箱部材１２、１３の内部にあるように風車翼１を把持することは、特に、風車翼１の翼幅方向が略水平、又は、水平面に対して斜めになるように風車翼１を風車翼把持機構１０で把持する場合に有用である。このような場合、風車翼１は、その翼幅方向にずれやすくなるから、風車翼１の翼弦最大位置５が箱部材１２、１３の内部にあるように風車翼１を把持して翼幅方向におけるずれをなくすことが有効である。
【００６１】
加えて、本実施形態の風車翼把持機構１０では、２つの可動吊り機構２３が２本の吊り索３１で吊られている場合には、箱部材１２、１３が開いた時に可動吊り機構２３が吊り索３１に吊られる位置Ｃをヒンジ１４に近付く方向にずらすことで、箱部材１２、１３が風車翼１に対して相対的に移動することを抑制し、風車翼１の損傷を防ぐことができる。同様に、２つの可動吊り機構２４が２本の吊り索３３で吊られている場合には、箱部材１２、１３が開いた時に可動吊り機構２４が吊り索３３に吊られる位置をヒンジ１４に近付く方向にずらすことで、箱部材１２、１３が風車翼１に対して相対的に移動することを抑制し、風車翼１の損傷を防ぐことができる。
【００６２】
図１４Ａ〜図１４Ｄは、本実施形態の風車翼把持機構１０を用いて風力発電装置を組み立てる（建設する）手順の例を概念的に示す図である。図１４Ａ〜図１４Ｄに図示されている風力発電装置の組立（建設）方法では、３本の風車翼１が逐次にハブ４３に連結される。
【００６３】
ここで、本実施形態の風力発電装置の組立方法では、３本の風車翼１の連結の際、風車ロータ（即ち、ハブ４３）が回転されないことに留意されたい。これは、風力発電装置の構成によっては、ハブ４３に非対称的に風車翼１が連結されている状態では（例えば、本来、３本の風車翼１が１２０°の間隔でハブ４３に接続されるように設計された風車ロータにおいて、１又は２本しか風車翼１が連結されていない状態では）、ハブ４３を回転させることができない場合があることに対応するためのものである。
【００６４】
ハブ４３に非対称的に風車翼１が連結されている状態では、慣性モーメントが増大するために、ハブ４３を回転させるために必要なトルクが、ハブ４３に対称的に風車翼１が連結されている状態（例えば、３本の風車翼１が１２０°の間隔でハブ４３に接続されている状態）よりも大きくなる。このような場合、風車ロータを回転させるためには、大きなトルクを作用させる必要がある。
【００６５】
その一方で、風力発電装置の構成によっては、大きなトルクで風車ロータを回転させることができない場合がある。一般的な風力発電装置では、風車ロータと発電機の間に増速機が設けられているから、小さなトルクで増速機の出力軸（発電機に接続されている軸）を回転させることによって増速機の入力軸から大きなトルクを出力し、該入力軸に接続されている風車ロータを大きなトルクで回転させることができる。このような場合、ハブ４３に非対称的に風車翼１が連結されていても、風車ロータを容易に回転させることができる。しかしながら、例えば、いわゆるダイレクトドライブ型の風力発電装置では、風車ロータのハブが主軸を介して発電機に直結されており、増速機が存在しない。したがって、増速機の出力軸を回転させることで風車ロータを回転させるために十分なトルクを発生するという手法を用いることができない。
【００６６】
また、油圧系を用いて風車ロータの回転を発電機のロータに伝達する構成の風力発電装置でも、仕様によっては、大きなトルクで風車ロータを回転させることができないことがある。図２１は、油圧系を用いる風力発電装置の構成の例を示している。図２１の風力発電装置では、ナセル４２に、主軸９１、油圧ポンプ９２、油圧モータ９３、及び、発電機９４が搭載されている。ハブ４３は主軸９１に連結され、主軸９１は、油圧ポンプ９２の入力軸に連結されている。油圧ポンプ９２は、主軸９１、即ち、風車ロータから供給される回転エネルギーから油圧（hydraulic pressure）を発生し、発生した油圧を油圧モータ９３に供給する。油圧モータ９３は、それに供給された油圧により、その出力軸に接続された発電機９４のロータを駆動する。図２１のような構成の風力発電装置では、油圧ポンプ９２及び油圧モータ９３の仕様によっては、小さなトルクでしか風車ロータを駆動することができない。図１４Ａ〜図１４Ｄに図示されている風力発電装置の組立（建設）方法は、風車ロータを駆動するトルクが大きくできないような構成の風力発電装置において、ハブ４３を回転させずに風車翼１を連結するためのものである。
【００６７】
図１４Ａに戻り、本実施形態の風力発電装置の組立方法では、まず、タワー４１が立てられた後、ナセル４２がタワー４１の上に搭載される。更に、ハブ４３がナセル４２に連結される。ここで、ハブ４３が予め連結されたナセル４２がタワー４１に搭載されてもよい。
【００６８】
続いて、図１４Ｂに図示されているように、第１の風車翼１−１がハブ４３の下方からハブ４３に連結される。詳細には、風車翼１−１に上述の風車翼把持機構１０が取り付けられ、その風車翼把持機構１０が吊り下げ機構５０によって吊り下げられる。風車翼１−１は、その翼幅方向が概ね鉛直方向に一致し、且つ、その翼端が下方に位置するように吊り下げられる。
【００６９】
吊り下げ機構５０は、吊りワイヤ５１と、吊りブロック５２と、吊り索５３、５４とを備えている。吊りワイヤ５１は、吊りブロック５２に連結されており、吊りブロック５２が、吊り索５３、５４に連結されている。吊り索５３は、その一端が可動吊り機構２３−１に連結され、他端が可動吊り機構２３−２に連結されている。ここで、可動吊り機構２３−１は、箱部材１２に連結された２つの可動吊り機構２３のうち、翼根に近い方の可動吊り機構であり、可動吊り機構２３−２は、箱部材１２に連結された２つの可動吊り機構２３のうち、翼端に近い方の可動吊り機構である。同様に、吊り索５４は、その一端が可動吊り機構２４−１に連結され、他端が可動吊り機構２４−２に連結されている。ここで、可動吊り機構２４−１は、箱部材１３に連結された２つの可動吊り機構２４のうち、翼根に近い方の可動吊り機構であり、可動吊り機構２４−２は、箱部材１３に連結された２つの可動吊り機構２４のうち、翼端に近い方の可動吊り機構である。吊り下げ機構５０の吊りワイヤ５１が例えばクレーン（図示されない）によって鉛直上向き方向に引き上げられることにより、風車翼１−１が上向きに吊り上げられ、風車翼１−１が下方からハブ４３に連結される。吊りブロック５２及び吊り索５３、５４の詳細な構造については後述する。
【００７０】
続いて、図１４Ｃに示されているように、第２の風車翼１−２がハブ４３の斜め上方からハブ４３に連結される。詳細には、風車翼１−２に上述の風車翼把持機構１０が取り付けられ、その風車翼把持機構１０が吊り下げ機構６０によって吊り下げられる。風車翼１−２は、その翼幅方向が斜め上向きになるように、より具体的には鉛直方向と１２０°の角度をなすように吊り下げ機構６０によって吊り下げられる。吊り下げ機構６０は、吊りワイヤ６１と、吊りブロック６２と、吊り索６３とを備えている。吊りワイヤ６１は、吊りブロック６２に連結されており、吊りブロック６２が、吊り索６３に連結されている。吊り索６３は、その一端が可動吊り機構２３−１に連結され、他端が可動吊り機構２３−２に連結されている。吊りブロック６２は、吊り索６３の可動吊り機構２３−１と吊りブロック６２の間の部分の長さ、及び、可動吊り機構２３−２と吊りブロック６２の間の部分の長さを調節することができるように構成されている。このような吊りブロック６２の構成は、風車翼１−２の姿勢を鉛直面内において制御するためのものである。吊りブロック６２及び吊り索６３の詳細な構造については後述する。
【００７１】
第２の風車翼１−２のハブ４３への連結においては、吊りブロック６２によって風車翼１−２の姿勢をその翼幅方向が斜め上向きになるように調節した状態で吊り下げ機構６０の吊りワイヤ６１が例えばクレーン（図示されない）によって吊り上げられる。この状態で、風車翼１−２が斜め上方からハブ４３に近づけられてハブ４３に連結される。
【００７２】
続いて、図１４Ｄに示されているように、第３の風車翼１−３が、ハブ４３の斜め上方からハブ４３に連結される。ここで、第３の風車翼１−３は、ハブ４３を挟んで第２の風車翼１−２の反対側からハブ４３に連結される。詳細には、風車翼１−３に上述の風車翼把持機構１０が取り付けられ、その風車翼把持機構１０が吊り下げ機構６０によって吊り下げられる。風車翼１−３の姿勢は、その翼幅方向が斜め上向きになるように、より具体的には鉛直方向と１２０°の角度をなすように吊り下げ機構６０によって調節される。この状態で、風車翼１−３が斜め上方からハブ４３に近づけられてハブ４３に連結される。以上の手順により、ハブ４３に３本の風車翼１が連結され、風車ロータが完成する。
【００７３】
図１４Ｃ、図１４Ｄにおいては、風車翼１が、斜め方向に保持されて（例えば、鉛直方向と１２０°の角度をなす方向に保持されて）ハブ４３に連結されている。その一方で、風車翼１は、ハブ４３に取り付けられるまでは、水平方向に保持された状態で建設サイトに輸送され、保管される。これは、風車翼１をハブ４３に連結する作業中に、空中において、風車翼１の向きを鉛直面内で変化させることを必要とすることを意味している。
【００７４】
図１５Ａ〜図１５Ｃは、吊り下げ機構６０によって風車翼１の姿勢を調節する過程を示している。まず、図１５Ａに示されているように、風車翼把持機構１０が風車翼１に取り付けられた状態で吊り下げ機構６０の吊り索６３が可動吊り機構２３−１、２３−２に連結される。このとき、吊り索６３の一端が風車翼１の翼根１ｃに近い可動吊り機構２３−１に連結され、吊り索６３の他端が風車翼１の翼端１ｄに近い可動吊り機構２３−２に連結される。吊り索６３は、吊りブロック６２の内部に通されている。更に、吊りブロック６２に取り付けられた吊りワイヤ６１がクレーンその他の吊り上げ装置によって吊り上げられる。このとき、吊り索６３の、吊りブロック６２と可動吊り機構２３−１の間の部分６３−１の長さと、吊りブロック６２と可動吊り機構２３−２の間の部分６３−２の長さを概ね同一にすることで、風車翼１の翼幅方向を概ね水平に保ちながら風車翼１を吊り上げることができる。
【００７５】
風車翼１がハブ４３の近くまで吊り上げられた後、図１５Ｂ、図１５Ｃに図示されているように、風車翼１の翼幅方向が斜め上向き（具体的には、鉛直方向と概ね１２０°を成す角度の方向）になるように風車翼１の姿勢が調節される。風車翼１の姿勢の制御は、吊りブロック６２により、吊り索６３の部分６３−１（風車翼１の翼根１ｃに近い部分）の長さを長くし、部分６３−２（風車翼１の翼端１ｄに近い部分）の長さを短くすることで行われる。
【００７６】
図１６Ａ〜図１６Ｃは、このような動作を可能にする吊り下げ機構６０の構造の例を示す図であり、図１７は、図１６Ａ〜図１６Ｃの吊り下げ機構６０に対応する吊り索６３の構造の例を示す図である。図１６Ａに図示されているように、吊り下げ機構６０の吊りブロック６２には、ギアボックス６４が設けられる。ギアボックス６４は、図１６Ｂに図示されているように、複数のスプロケット６５を備えている。図１６Ｂに図示されたギアボックス６４の構成では、３個のスプロケット６５−１〜６５−３が設けられている。一方、吊り索６３としては、スプロケット６５−１〜６５−３と噛合するチェーン、より具体的にはローラーチェーンが使用される。
【００７７】
図１７は、吊り索６３として用いられるローラーチェーンの構造の例を示している。当該ローラーチェーンは、外プレート７１、内プレート７２と、ローラ７３と、ブシュ７４と、ピン７５とを備えている。一対の外プレート７１が、それぞれに圧入された２本のピン７５によって連結されて、外リンクが形成されている。一方、一対の内プレート７２が、それぞれに圧入された２本のブシュ７４によって連結されて内リンクが形成されている。ブシュ７４がローラ７３の穴に通されており、ローラ７３は、ブシュ７４の周囲を自由に回転できる。ピン７５がブシュ７４の穴に通されることで外リンクと内リンクが連結されている。外リンクと内リンクとが連結されることで、ローラーチェーンが構成されている。
【００７８】
図１６Ｂに戻り、吊り索６３として使用されるローラーチェーンは、端に位置するスプロケット６５−１、６５−３の上側部分に噛合されると共に、スプロケット６５−２の下側部分に噛合されている。このような構造によれば、ローラーチェーンの、スプロケット６５−１〜６５−３と噛合する部分の長さを長くすることができ、ローラーチェーンに作用する機械的負荷を低減させることができる。
【００７９】
３つのスプロケット６５−１〜６５−３の少なくとも一つが、駆動装置によって駆動される。スプロケット６５−１〜６５−３を駆動することで、吊り索６３（即ち、ローラーチェーン）の部分６３−１（風車翼１の翼根１ｃに近い部分）の長さ、及び、部分６３−２（風車翼１の翼端１ｄに近い部分）の長さが調節される。
【００８０】
図１６Ｃは、３つのスプロケット６５−１〜６５−３のうち、スプロケット６５−２を駆動するように構成された吊りブロック６２の駆動装置６６の構成の一例を概念的に示すブロック図である。駆動装置６６は、ギアボックス６６ａと、モータ６６ｂと、制御装置６６ｃと、バッテリー６６ｄとを備えている。スプロケット６５−２は、ギアボックス６６ａを介してモータ６６ｂに連結されており、モータ６６ｂによって駆動される。ギアボックス６６ａは、モータ６６ｂのロータの回転を減速させてスプロケット６５−２に伝達するために使用される。モータ６６ｂは、制御装置６６ｃによって制御される。制御装置６６ｃには外部から有線又は無線によって指示が与えられ、制御装置６６ｃは、その指示に応答してモータ６６ｂを制御する。これにより、スプロケット６５−２が、モータ６６ｂにより、吊り索６３（即ち、ローラーチェーン）の部分６３−１（風車翼１の翼根１ｃに近い部分）の長さ、及び、部分６３−２（風車翼１の翼端１ｄに近い部分）の長さが所望の長さになるように駆動される。バッテリー６６ｄは、モータ６６ｂと制御装置６６ｃの動作に必要な電力をモータ６６ｂと制御装置６６ｃに供給する。
【００８１】
なお、図１６Ｃに図示されている駆動装置６６の構成では、バッテリー６６ｄが内蔵されているが、モータ６６ｂと制御装置６６ｃを動作させる電力を外部からケーブルによって供給してもよい。
【００８２】
以上に述べられた構造のギアボックス６４を用いた吊りブロック６２によれば、吊り索６３が滑ることを防ぎながら、長大な風車翼１の姿勢制御を行うことができる。なお、上記の例では、ギアボックス６４に含まれているスプロケット６５の数が３個であるが、ギアボックス６４に含まれているスプロケット６５の数は、任意の自然数であってもよい。ただし、吊り索６３として使用されるローラーチェーンがスプロケット６５−１〜６５−３と噛合する部分の長さを長くする一方で、吊り索６３の部分６３−１（風車翼１の翼根１ｃに近い部分）及び部分６３−２（風車翼１の翼端１ｄに近い部分）に対する対称性を保つためには、ギアボックス６４に含まれているスプロケット６５の数は、３以上の奇数であることが好ましい。
【００８３】
再び図１４Ｂを参照すると、上述の風力発電装置の組立（建設）方法では、第１の風車翼１−１をハブ４３に連結する際に、風車翼１−１の翼幅方向が概ね鉛直方向に平行になるように風車翼１−１が吊り下げられる。その一方で、一般には、風車翼１−１は、風車翼１−１の翼幅方向が概ね水平方向に向けられて輸送され、建設サイトに置かれる。風車翼１−１を吊り上げる過程において、風車翼１−１の向きを変える必要があることを意味している。
【００８４】
図１８Ａ〜図１８Ｆは、翼幅方向が概ね水平方向に向けられている状態で吊られている風車翼１−１を、翼幅方向が概ね鉛直方向に向けられている状態に変化させる過程を示す図である。図１８Ａ〜図１８Ｆに図示されているように、この過程においては、風車翼１−１が吊り下げ機構５０によって吊り下げられる。詳細には、図１８Ａ、図１８Ｂに示されているように、風車翼把持機構１０が風車翼１に取り付けられた状態で吊り下げ機構５０の吊り索５３、５４が可動吊り機構２３−１、２３−２、２４−１、２４−２に連結される。図１８Ａ〜図１８Ｆの過程では、風車翼１−１は、４つの可動吊り機構２３、２４を用いて吊られることに留意されたい。吊り索５３の一端が風車翼１の翼根１ｃに近い可動吊り機構２３−１に連結され、吊り索５３の他端が風車翼１の翼端１ｄに近い可動吊り機構２３−２に連結される。同様に、吊り索５４の一端が風車翼１の翼根１ｃに近い可動吊り機構２４−１に連結され、吊り索５４の他端が風車翼１の翼端１ｄに近い可動吊り機構２４−２に連結される。吊り索５３、５４は、吊りブロック５２の内部に通されている。
【００８５】
図１９Ａ〜図１９Ｄは、吊り下げ機構５０の構造の例を示す図である。吊り下げ機構５０は、上述の吊り下げ機構６０と類似の構造を有している。図１９Ａ、図１９Ｂに図示されているように、吊り下げ機構５０は、吊りワイヤ５１と、吊りブロック５２とを備えている。吊りブロック５２には、吊りプレート５２ａが設けられており、その吊りプレート５２ａに吊り環５２ｂが連結されている。この吊り環５２ｂに吊りブロック５２を吊り下げる吊りワイヤ５１が連結される。
【００８６】
吊りブロック５２は、１対のギアボックス５５Ａ、５５Ｂと、駆動装置５６とを備えている。ギアボックス５５Ａは、吊り索５３を駆動するために用いられ、ギアボックス５５Ｂは、吊り索５４を駆動するために用いられる。
【００８７】
図１９Ｃは、ギアボックス５５Ａ、５５Ｂの構成を示す図である。吊り下げ機構６０のギアボックス６４と同様に、ギアボックス５５Ａ、５５Ｂのそれぞれは、複数のスプロケット５７を備えている。図１９Ｃに図示されたギアボックス５５Ａ、５５Ｂの構成では、ギアボックス５５Ａが３個のスプロケット５７Ａ−１〜５７Ａ−３を備えており、ギアボックス５５Ｂが３個のスプロケット５７Ｂ−１〜５７Ｂ−３を備えている。一方、吊り下げ機構５０と組み合わせて使用される吊り索５３、５４は、吊り下げ機構６０と組み合わせて使用される吊り索６３と同様に、スプロケットと噛合して用いられるチェーン、より具体的には、図１７に図示されているローラーチェーンが使用され得る。
【００８８】
吊り索５３として使用されるローラーチェーンは、端に位置するスプロケット５７Ａ−１、５７Ａ−３の上側部分に噛合されると共に、スプロケット５７Ａ−２の下側部分に噛合されている。同様に、吊り索５４として使用されるローラーチェーンは、端に位置するスプロケット５７Ｂ−１、５７Ｂ−３の上側部分に噛合されると共に、スプロケット５７Ｂ−２の下側部分に噛合されている。このような構造によれば、吊り索５３、５４として使用されるローラーチェーンの、スプロケット５７Ａ−１〜５７Ａ−３、５７Ｂ−１〜５７Ｂ−３と噛合する部分の長さを長くすることができ、ローラーチェーンに作用する機械的負荷を低減させることができる。
【００８９】
ギアボックス５５Ａに含まれる３つのスプロケット５７Ａ−１〜５７Ａ−３の少なくとも一つが駆動装置５６によって駆動され、ギアボックス５５Ｂに含まれる３つのスプロケット５７Ｂ−１〜５７Ｂ−３の少なくとも一つが駆動装置５６によって駆動される。スプロケット５７Ａ−１〜５７Ａ−３を駆動することで、吊り索５３（即ち、ローラーチェーン）の部分５３−１（風車翼１の翼根１ｃに近い部分）の長さ、及び、部分５３−２（風車翼１の翼端１ｄに近い部分）の長さが調節される。同様に、スプロケット５７Ｂ−１〜５７Ｂ−３を駆動することで、吊り索５４（即ち、ローラーチェーン）の部分５４−１（風車翼１の翼根１ｃに近い部分）の長さ、及び、部分５４−２（風車翼１の翼端１ｄに近い部分）の長さが調節される。
【００９０】
図１９Ｄは、スプロケット５７Ａ−１〜５７Ａ−３、５７Ｂ−１〜５７Ｂ−３のうち、スプロケット５７Ａ−２、５７Ｂ−２を駆動するように構成された駆動装置５６の構成の一例を概念的に示すブロック図である。駆動装置５６は、ギアボックス５６ａと、モータ５６ｂと、制御装置５６ｃと、バッテリー５６ｄとを備えている。スプロケット５７Ａ−２、５７Ｂ−２は、ギアボックス５６ａの出力軸５６ｅに共通に接続されている。即ち、スプロケット５７Ａ−２、５７Ｂ−２は、出力軸５６ｅによって互いに連結されており、同軸に（coaxially）回転する。ギアボックス５６ａの入力軸はモータ５６ｂに連結されており、モータ５６ｂによって該入力軸が駆動されて回転されると、スプロケット５７Ａ−２、５７Ｂ−２も回転する。ギアボックス５６ａは、モータ５６ｂのロータの回転を減速させてスプロケット５７Ａ−２、５７Ｂ−２に伝達するために使用される。モータ５６ｂは、制御装置５６ｃによって制御される。制御装置５６ｃには外部から有線又は無線によって指示が与えられ、制御装置５６ｃは、その指示に応答してモータ５６ｂを制御する。これにより、吊り索５３（即ち、ローラーチェーン）の部分５３−１（風車翼１の翼根１ｃに近い部分）の長さ、及び、部分５３−２（風車翼１の翼端１ｄに近い部分）の長さが所望の長さになるようにスプロケット５７Ａ−２が駆動され、吊り索５４の部分５４−１（風車翼１の翼根１ｃに近い部分）の長さ、及び、部分５４−２（風車翼１の翼端１ｄに近い部分）の長さが所望の長さになるようにスプロケット５７Ｂ−２が駆動される。
【００９１】
なお、図１９Ｄに図示されている駆動装置５６の構成では、バッテリー５６ｄが内蔵されているが、モータ５６ｂと制御装置５６ｃを動作させる電力を外部からケーブルによって供給してもよい。
【００９２】
また、上記の例では、ギアボックス５５Ａ、５５Ｂのそれぞれに含まれているスプロケット５７の数が３個であるが、スプロケット５７の数は、任意の自然数であってもよい。ただし、吊り索５３、５４として使用されるローラーチェーンがスプロケット５７Ａ−１〜５７Ａ−３、５７Ｂ−１〜５７Ｂ−３と噛合する部分の長さを長くする一方で、吊り索５３、５４の部分５３−１、５４−１（風車翼１の翼根１ｃに近い部分）及び部分５３−２、５４−２（風車翼１の翼端１ｄに近い部分）に対する対称性を保つためには、５５Ａ、５５Ｂのそれぞれに含まれているスプロケット５７の数は、３以上の奇数であることが好ましい。
【００９３】
上記の構造の吊り下げ機構５０によれば、吊り索５３、５４が滑ることを防ぎながら吊り索５３、５４を駆動することで、翼長方向が概ね水平方向に向けられている風車翼１を、翼長方向が鉛直方向に向くように風車翼１の姿勢を変更することができる。
【００９４】
まず、図１８Ａ、図１８Ｂに図示されているように、風車翼１の翼長方向が概ね水平方向に向けられている状態で、吊りブロック５２に取り付けられた吊りワイヤ５１がクレーンその他の吊り上げ装置によって吊り上げられる。このとき、吊り索５３の、吊りブロック５２と可動吊り機構２３−１の間の部分５３−１の長さと、吊りブロック５２と可動吊り機構２３−２の間の部分５３−２の長さが概ね同一に調節され、更に、吊り索５４の、吊りブロック５２と可動吊り機構２４−１の間の部分５４−１の長さと、吊りブロック５２と可動吊り機構２３−２の間の部分５４−２の長さが概ね同一に調節される。これにより、風車翼１の翼幅方向を概ね水平に保ちながら風車翼１を吊り上げることができる。
【００９５】
続いて、図１８Ｃ、図１８Ｄに図示されているように、風車翼１の翼端１ｄが下側に、翼根１ｃが上側になるように、風車翼１の姿勢が徐々に変化される。詳細には、吊りブロック５２のギアボックス５５Ａにより、吊り索５３の部分５３−２（風車翼１の翼端１ｄに近い部分）の長さが長くされ、部分５３−２（風車翼１の翼根１ｃに近い部分）の長さが短くされる。同様に、ギアボックス５５Ｂにより、吊り索５４の部分５４−２（風車翼１の翼端１ｄに近い部分）の長さが長くされ、部分５４−２（風車翼１の翼根１ｃに近い部分）の長さが短くされる。これにより、風車翼１の姿勢が、翼端１ｄが相対的に下方に位置し、且つ、翼根１ｃが上側に位置するように変化する。
【００９６】
ある程度、吊り索５３、５４の部分５３−２、５４−２の長さが長くなり、部分５３−１、５４−１の長さが短くなると、図１８Ｄ、図１８Ｅに図示されているように、吊り索５３、５４の部分５３−２、５４−２には張力が作用しなくなり、風車翼１及び風車翼把持機構１０に作用する重力による荷重が、吊り索５３、５４の部分５３−１、５４−１のみに作用するようになる。図１８Ｄは、吊り索５３、５４の部分５３−２、５４−２に張力が作用しなくなる直前の状態を示している。吊り索５３、５４の部分５３−２、５４−２に張力が作用しなくなった状態では、図１８Ｅ、図１８Ｆに図示されているように、風車翼１の翼幅方向が、概ね鉛直方向に向く。以上で、翼幅方向が概ね水平方向に向けられている状態で吊られている風車翼１−１を、翼幅方向が概ね鉛直方向に向けられている状態に変化させる過程が完了する。風車翼１の翼幅方向が、概ね鉛直方向に向いた状態で風車翼１の翼根１ｃがハブ４３に連結される。
【００９７】
上記の風力発電装置の組立（建設）方法を実施する場合、各風力発電装置について３本の風車翼１を輸送する必要がある。ここで、上述の風車翼把持機構１０の構造ではその断面形状が略矩形であるため、風車翼１を把持した状態で複数の風車翼把持機構１０を鉛直方向に積むことが容易であり、風車翼１の輸送に適している。
【００９８】
図２０Ａ、図２０Ｂは、それぞれが風車翼１を把持している状態で鉛直方向に積まれた３つの風車翼把持機構１０を図示している。図２０Ａ、図２０Ｂにおいて、風車翼１−１は、最初にハブ４３に取り付けられる風車翼１（即ち、鉛直下方からハブ４３に取り付けられる風車翼１）である（図１４Ｂ参照）。また、風車翼１−２は、２番目にハブ４３に取り付けられる風車翼１（即ち、斜め上方からハブ４３に取り付けられる風車翼１）であり（図１４Ｃ参照）、風車翼１−３は、最後にハブ４３に取り付けられる風車翼１（即ち、斜め上方からハブ４３に取り付けられるもう一つの風車翼１）である（図１４Ｄ参照）。
【００９９】
風車翼１−３に取り付けられた風車翼把持機構１０−３が最も下に置かれ、その風車翼把持機構１０−３の上にスペーサ８１が置かれる。更に、風車翼１−２に取り付けられた風車翼把持機構１０−２がスペーサ８１の上に置かれ、その風車翼把持機構１０−２の上に、スペーサ８２が置かれる。風車翼１−１に取り付けられた風車翼把持機構１０−１は、スペーサ８２の上に置かれる。
【０１００】
ここで、風車翼１−１を把持する風車翼把持機構１０−１と他の風車翼把持機構１０−２、１０−３とは、異なる向きに積まれることが好ましい。より具体的には、風車翼把持機構１０−２、１０−３は、箱部材１２が上方に位置し、箱部材１３が下方に位置するように積まれる。一方、風車翼把持機構１０−１は、その箱部材１２、１３が水平方向に並ぶように積まれる。
【０１０１】
風車翼把持機構１０−１〜１０−３をこのように積むことで、風車翼把持機構１０−１〜１０−３を吊り下げ機構５０又は６０に連結する作業の効率を向上させることができる。詳細には、図１４Ｂから理解されるように、最初に吊り上げられる風車翼１−１を把持する風車翼把持機構１０−１は、箱部材１２に取り付けられた２つの可動吊り機構２３と箱部材１３に取り付けられた２つの可動吊り機構２４の両方が吊り下げ機構５０に連結された状態で吊り上げられる。風車翼把持機構１０−１をその箱部材１２、１３が水平方向に並ぶように積むことで、可動吊り機構２３、２４へのアクセスが容易になり、可動吊り機構２３、２４に吊り索５３、５４を取り付ける作業の効率が向上される。一方、２番目、３番目に吊り上げられる風車翼１−２、１−３を把持する風車翼把持機構１０−２、１０−３については、箱部材１２に取り付けられた２つの可動吊り機構２３のみが吊り下げ機構６０に連結された状態で吊り上げられる。風車翼把持機構１０−２、１０−３を、その箱部材１２が上方に位置し、箱部材１３が下方に位置するように積むことで、可動吊り機構２３へのアクセスが容易になり、可動吊り機構２３に吊り索６３を取り付ける作業の効率が向上される。
【０１０２】
このとき、風車翼１−１の翼弦方向が概ね垂直方向に向けられるように風車翼把持機構１０−１が積まれることが好ましい。これにより、図１８Ａ〜図１８Ｆに図示された手順で風車翼１−１の姿勢を変化させた後でハブ４３に風車翼１−１を取り付ける時に、風車翼１−１が自然にフェザー状態又はそれに近い状態になるようなピッチ角になる。これは、ハブ４３に風車翼１−１を取り付ける作業を行うときに、ハブ４３が風によって回転することを防ぐ観点で好ましい。
【０１０３】
同様に、風車翼１−２、１−３の翼弦方向が概ね水平方向に向けられるように風車翼把持機構１０−２、１０−３が積まれることが好ましい。これにより、風車翼把持機構１０−２、１０−３の向きをそのままにして風車翼把持機構１０−２、１０−３を吊り上げると、ハブ４３に風車翼１−２、１−３を取り付けるときに、風車翼１−２、１−３が自然にフェザー状態又はそれに近い状態になるようなピッチ角になる。これは、ハブ４３に風車翼１−２、１−３を取り付ける作業を行うときに、ハブ４３が風によって回転することを防ぐ観点で好ましい。
【０１０４】
以上には、本発明の実施形態が具体的に記述されているが、本発明は、上記の実施形態に限定されると解釈してはならない。本発明は、当業者には自明的な様々な変更と共に実施され得る。
【図１Ａ】
0005863990.tif 000002
【図１Ｂ】
0005863990.tif 000003
【図１Ｃ】
0005863990.tif 000004
【図２】
0005863990.tif 000005
【図３】
0005863990.tif 000006
【図４】
0005863990.tif 000007
【図５】
0005863990.tif 000008
【図６Ａ】
0005863990.tif 000009
【図６Ｂ】
0005863990.tif 000010
【図７】
0005863990.tif 000011
【図８】
0005863990.tif 000012
【図９】
0005863990.tif 000013
【図１０Ａ】
0005863990.tif 000014
【図１０Ｂ】
0005863990.tif 000015
【図１１Ａ】
0005863990.tif 000016
【図１１Ｂ】
0005863990.tif 000017
【図１２】
0005863990.tif 000018
【図１３】
0005863990.tif 000019
【図１４Ａ】
0005863990.tif 000020
【図１４Ｂ】
0005863990.tif 000021
【図１４Ｃ】
0005863990.tif 000022
【図１４Ｄ】
0005863990.tif 000023
【図１５Ａ】
0005863990.tif 000024
【図１５Ｂ】
0005863990.tif 000025
【図１５Ｃ】
0005863990.tif 000026
【図１６Ａ】
0005863990.tif 000027
【図１６Ｂ】
0005863990.tif 000028
【図１６Ｃ】
0005863990.tif 000029
【図１７】
0005863990.tif 000030
【図１８Ａ】
0005863990.tif 000031
【図１８Ｂ】
0005863990.tif 000032
【図１８Ｃ】
0005863990.tif 000033
【図１８Ｄ】
0005863990.tif 000034
【図１８Ｅ】
0005863990.tif 000035
【図１８Ｆ】
0005863990.tif 000036
【図１９Ａ】
0005863990.tif 000037
【図１９Ｂ】
0005863990.tif 000038
【図１９Ｃ】
0005863990.tif 000039
【図１９Ｄ】
0005863990.tif 000040
【図２０Ａ】
0005863990.tif 000041
【図２０Ｂ】
0005863990.tif 000042
【図２１】
0005863990.tif 000043